(57)【要約】【課題】ユーザの移動方法から正確な目的地への到着時刻を推定し、ユーザの到着時刻に合わせて目的地の電気機器の遠隔操作を自動的に行えるようにすること。【解決手段】ユーザの位置を検出する位置検出部１０５と、検出されたユーザの位置の変化からユーザの移動方法を推定する移動方法推定部１０６と、ユーザの位置と移動方法からユーザの目的地への到着時刻を推定する到着時刻推定部１０７と、到着時刻から制御情報を送信するか否かを判断し、自動的に目的地に制御情報を送信する制御情報自動送信部１０８とを備えている。【選択図】      図１
2004228668.tif 000002
【特許請求の範囲】
【請求項１】
ユーザの位置を検出する位置検出手段と、検出された位置の変化からユーザの移動速度を算出する速度算出手段と、算出した速度からユーザの移動方法を推定する移動方法推定手段と、前記位置検出手段が検出した位置と前記速度算出手段が算出した移動速度と前記移動方法推定手段が推定した移動方法とから、ユーザが目的地に到着する時刻を推定する目的地到着時間推定手段と、前記目的地到着時間推定手段が推定した目的地到着時間と現在の時刻とに基づき電気機器の制御情報を送信する時刻を判断し、目的地の電気機器を制御する情報を送信する手段とを具備したことを特徴とする携帯端末装置。
【請求項２】
前記位置検出手段に代えてセルの切り替えを検出するセル切り替え検出手段を具備し、前記速度算出手段は、検出されたセルの切り替え時刻の変化から速度を算出することを特徴とする請求項１記載の携帯端末装置。
【請求項３】
前記目的地到着時刻の推定処理を複数回実行する手段と、前記推定処理を複数回実行する過程で推定された目的地到着時刻が指定した時間以上ずれていることを検出する到着時刻ずれ検出手段と、前記到着時刻ずれ検出手段が到着時刻のずれを検出したとき、目的地の電気機器に再度制御情報を送信する手段とを具備することを特徴とする請求項１又は請求項２記載の携帯端末装置。
【請求項４】
目的地に電気機器制御情報を送信する前に送信モードを確認し、自動制御モードでないときはユーザに通知して手動制御モードによる送信を可能とし、自動制御モードであるときはユーザに通知することなく目的地に電気機器制御情報を送信する手段を具備することを特徴とする請求項１から請求項３のいずれかに記載の携帯端末装置。
【請求項５】
複数の電気機器があるときは、電気機器毎に目的地到着時刻に適合するタイミングで制御情報を送信する手段を具備することを特徴とする請求項１から請求項４のいずれかに記載の携帯端末装置。
【発明の詳細な説明】
【０００１】
【発明の属する技術分野】
本発明は、携帯端末装置に関するものである。
【０００２】
【従来の技術】
近年、携帯端末装置は、多数の機能を装備するようになってきている。その機能の１つとして、外部から自宅などに設置されている電気機器の遠隔制御を行う機能を有する携帯端末装置が知られている（例えば、特許文献１）。
【０００３】
即ち、特許文献１では、予め自宅の電気機器を所望の状態に設定する制御情報を含むメールと前記メールを自宅に自動送信する位置である自宅までの一定距離とを登録しておき、全地球測位システム（ＧＰＳ：Ｇｌｏｂａｌ  Ｐｏｓｉｔｉｏｎｉｎｇ  Ｓｙｓｔｅｍ）を利用して現在位置情報を取得して自宅までの距離を求め、求めた距離が前記一定距離に達すると、前記制御情報を含むメールを自宅にインターネット網を介して自動的に送信し、自宅に到着したときには自宅の所定電気機器が所望の状態になっているように遠隔操作できる携帯端末装置が開示されている。
【０００４】
【特許文献１】
特開２００２−３４０８０号公報：００３１〜００３４：図１〜図５
【０００５】
【発明が解決しようとする課題】
しかしながら、従来の遠隔制御を行う位置検索機能付きの携帯端末装置においては、メールの自動送信を行う判断基準は、位置情報のみであり、ユーザの移動方法がいかなる場合でも、目的地までの一定距離に到達すると自動的にメールが送信される。
【０００６】
即ち、ユーザの移動方法によってユーザの移動速度が異なるので、ユーザの移動方法によって目的地への到着時刻が異なる。したがって、位置のみの情報によってある距離に達したと判断し、自動的にメールを送信し、電気機器を制御した場合、目的地に到着した時刻には、自動メールによって制御された電気機器が、ユーザの希望する状態になっていないことが起こるという問題がある。
【０００７】
本発明は、かかる点に鑑みてなされたものであり、ユーザの移動方法から正確な目的地到着時刻を推定し、ユーザの到着時刻に合わせて目的地の電気機器の遠隔操作を自動的に行える携帯端末装置を提供することを目的とする。
【０００８】
【課題を解決するための手段】
本発明の携帯端末装置は、ユーザの位置を検出する位置検出手段と、検出された位置の変化からユーザの移動速度を算出する速度算出手段と、算出した速度からユーザの移動方法を推定する移動方法推定手段と、前記位置検出手段が検出した位置と前記速度算出手段が算出した移動速度と前記移動方法推定手段が推定した移動方法とから、ユーザが目的地に到着する時刻を推定する目的地到着時間推定手段と、前記目的地到着時間推定手段が推定した目的地到着時間と現在の時刻とに基づき電気機器の制御情報を送信する時刻を判断し、目的地の電気機器を制御する情報を送信する手段とを具備する構成を採る。
【０００９】
この構成によれば、検出された位置の変化からユーザの移動速度を算出し、算出した移動速度からユーザの移動方法を推定し、ユーザの移動方法から正確な目的地への到着時刻を推定することができるので、ユーザが目的地に到着した時刻には、目的地の電気機器がユーザの希望する状態となっているようにすることができる。
【００１０】
また、本発明の携帯端末装置は、上記の発明において、前記位置検出手段に代えてセルの切り替えを検出するセル切り替え検出手段、を具備し、前記速度算出手段は、検出されたセルの切り替え時刻の変化から速度を算出する構成を採る。
【００１１】
この構成によれば、セルの切り替え時刻の変化から、ユーザの移動速度を算出し、目的地への到着時刻を推定することができるので、ＧＰＳなどを用いて位置を検出する必要がなく、また簡単に速度を求めることができるので、消費電力の低減が図れ、また装置構成の簡素化が図れる。
【００１２】
また、本発明の携帯端末装置は、上記の発明において、前記目的地到着時刻の推定処理を複数回実行する手段と、前記推定処理を複数回実行する過程で推定された目的地到着時刻が指定した時間以上ずれていることを検出する到着時刻ずれ検出手段と、前記到着時刻ずれ検出手段が到着時刻のずれを検出したとき、目的地の電気機器に再度制御情報を送信する手段とを具備する構成を採る。
【００１３】
この構成によれば、推定された目的地到着時刻がずれていることを検出することで、電気機器への制御を再度行うことができるので、消費電力を削減することができる。
【００１４】
また、本発明の携帯端末装置は、上記の発明において、目的地に電気機器制御情報を送信する前に送信モードを確認し、自動制御モードでないときはユーザに通知して手動制御モードによる送信を可能とし、自動制御モードであるときはユーザに通知することなく目的地に電気機器制御情報を送信する手段を具備する構成を採る。
【００１５】
この構成によれば、何らかの理由で、普段と異なる経路や時間に移動することが予測できるときは、予め手動制御モードにしておくことにより、ユーザの希望に沿った制御を行うことができる。
【００１６】
また、本発明の携帯端末装置は、上記の発明において、複数の電気機器があるときは、電気機器毎に目的地到着時刻に適合するタイミングで制御情報を送信する手段を具備する構成を採る。
【００１７】
この構成によれば、目的地にある複数の電気機器を、ユーザが目的地へ到着した時刻には、ユーザの希望する状態となっているようにすることができる。
【００１８】
【発明の実施の形態】
本発明の骨子は、ユーザの位置情報の変化からユーザの移動速度及び移動方法を推定し、それに基づき正確な目的地到着時刻を推定し、ユーザの到着時刻に合わせて目的地の電気機器を自動的に遠隔操作できるようにすることである。
【００１９】
以下、本発明の実施の形態について、図面を参照して詳細に説明する。
【００２０】
（実施の形態１）
図１は、本発明の実施の形態１に係る携帯端末装置の構成を示すブロック図である。図１に示す携帯端末装置１００は、基地局と無線伝送路を介してデータを送受信する無線部１０１と、送受信するデータや操作内容などを表示する表示部１０２と、機能設定を行う操作ボタンが配置される操作部１０３と、制御のためのプログラム、経路情報、位置情報、電気機器制御情報などの情報を格納する記憶部１０４と、ユーザの位置を検出する位置検出部１０５，及びユーザの移動速度を算出し、移動方法を推定する移動方法推定部１０６を備え、ユーザが目的地に到着する時刻を推定する到着時刻推定部１０７と、到着時刻推定部１０７が推定した到着時刻に基づいて、電気機器制御情報を有線伝送路または無線伝送路を介してインターネット網に送信する制御情報自動送信部１０８と、これらの全てを制御する制御部１０９とを備えている。
【００２１】
次いで、図１〜図３を参照して、以上のように構成された携帯端末装置１００の動作について説明する。なお、図２は、図１に示す携帯端末装置１００の動作を説明するフローチャートである。図３は、図１に示す制御情報自動送信部１０８が行う制御情報の送信タイミングを説明する図である。
【００２２】
図２において、ユーザは表示部１０２の表示を見ながら、操作部１０３の所定ボタンを操作し、目的地の位置情報（経度や緯度）の入力（ステップＳＴ２０１）と、電気機器の制御情報の送信内容及び送信時間の入力（ステップＳＴ２０２）とを行う。これらの情報は、制御部１０９を通して記憶部１０４に登録される。
【００２３】
ここで、当該携帯端末装置は、遠隔操作によって外部から、自宅などの目的地に設置されている電気機器を所望の状態にする制御を自動的に行う自動制御モードを備えている。制御部１０９は、ユーザが操作部１０３の所定ボタンを操作すると、通常動作モードから自動制御モードに切り換える。また、ユーザは、上記のステップＳＴ２０１やステップＳＴ２０２の登録入力を行う際に、通常動作モードから自動制御モードに切り換える任意の時間（例えば午後５時半）を登録入力すると、制御部１０９はその切換時間を記憶部１０４に保存し、その切換時間になると、通常動作モードから自動制御モードに切り換えるようになっている。
【００２４】
ここでは、ユーザが、上記の登録を終了した携帯端末装置を携行し、任意のタイミングで操作部１０３に設けてある自動制御モード設定ボタンを操作するとする。すると、制御部１０９は、当該携帯端末装置を自動制御モードにし（ステップＳＴ２０３）、位置検出部１０５を起動する。
【００２５】
位置検出部１０５は、ＧＰＳを利用してユーザの現在位置と時間情報とを取得する（ステップＳＴ２０４）。取得された現在位置と時間情報は、制御部１０９を通して記憶部１０４に保存される。
【００２６】
制御部１０９は、自動制御モードに切り換えた後の任意の時間経過後に、位置検出部１０５を起動して移動中の現在位置および時間情報を取得させ、記憶部１０４に保存する（ステップＳＴ２０５）。なお、このときの「任意の時間」は、ユーザが予め登録した時間、また、ユーザが移動中に操作部１０３に設けてある所定ボタンを操作したときの時間である。
【００２７】
移動方法推定部１０６は、位置検出部１０５が検出した異なった時刻での２つの位置と２つの時刻とを記憶部１０４から取り出し、ユーザの移動速度を算出する（ステップＳＴ２０６）。例えば、始めの時刻をＴ１［ｓ］、位置をＸ１［ｍ］とし、次の時刻をＴ２［ｓ］、位置をＸ２［ｍ］とすると、移動速度は、（Ｔ２−Ｔ１）／（Ｘ２−Ｘ１）［ｍ／ｓ］と算出することができる。
【００２８】
移動方法推定部１０６は、算出した移動速度から、ユーザの移動方法を推定する（ステップＳＴ２０７）。例えば、ユーザの速度が１４［ｍ／ｓ］の場合、ユーザの移動方法は自動車であると判断する。この移動方法の判断基準は、予め記憶部１０４に登録されている。また、ユーザが表示部２を見ながら、操作部１０３のボタンを操作して移動方法の判断基準を登録することができる。
【００２９】
到着時刻推定部は１０７は、移動方法推定部１０６にて推定されたユーザの移動速度及び移動方法と、位置検出部１０５にて検出されたユーザの現在位置情報と、記憶部１０４に登録されている目的地の位置情報とをそれぞれ呼び出し、それらの情報から目的地到着時刻を推定し、制御部１０９を通して記憶部１０４に登録する（ステップＳＴ２０８）。
【００３０】
例えば、移動方法が徒歩、自転車、自動車であると推定されている場合は、その移動方法の速度をＶ１［ｍ／ｓ］、ユーザの現在位置から目的地までの距離をＸ３［ｍ］、現在の時刻をＴ４［ｓ］とすると、目的地到着時刻はＴ４＋（Ｘ３／Ｖ１）［ｓ］と算出することができる。
【００３１】
また、例えば、移動方法がバス、電車であると推定されている場合は、その移動方法（バスまたは電車）の速度をＶ２［ｍ／ｓ］、ユーザの現在位置から目的地までの距離をＸ３［ｍ］、現在の時刻をＴ４［ｓ］とすると、目的地到着時刻は、Ｔ４＋（Ｘ３−Ｘ４）／Ｓ２＋Ｘ４／Ｖ３と算出することができる。なお、距離Ｘ４は、最寄りのバス停留所または最寄りの駅から目的地までの距離であり、記憶部１０４に予め登録されている。また、移動速度Ｖ３は、ユーザが予め登録した最寄りのバス停留所、又は最寄りの駅からの移動方法から到着時刻推定部１０７が推定した移動速度である。
【００３２】
制御情報自動送信部１０８は、記憶部１０４からユーザの目的地到着時刻と電気機器制御情報の送信時間とを呼び出し、現在の時刻が電気機器制御情報を自動送信するタイミングか否かを判断する（ステップＳＴ２０９）。そして、現在時刻が自動制御情報を送信する時刻に達していないと判断したときは（ステップＳＴ２０９：Ｎｏ）、ステップＳＴ２０５に戻り、任意の時間経過後に、位置検出部１０５よってユーザの現在位置及び時刻情報が取得され、移動方法推定部１０６での処理（ステップＳＴ２０６，ステップＳＴ２０７）及び到着時刻推定部１０７での処理（ステップＳＴ２０８）が行われる。
【００３３】
その結果、制御情報自動送信部１０８は、現在時刻が自動制御情報を送信する時刻に達していると判断した場合は（ステップＳＴ２０９：Ｙｅｓ）、記憶部１０４に予め登録しておいた電気機器制御情報を目的地に送信する（ステップＳＴ２１０）。
【００３４】
上記の電気機器制御情報は、目的地の電気機器を制御する制御機器にインターネット網を介して供給される。制御機器は、受信した制御情報の指示に従って該当する電気機器を無線伝送路あるいは有線伝送路を介して制御する。
【００３５】
次に、図３を参照して、様々な移動方法による制御情報の送信タイミングについて説明する。ここで、到着時刻推定部１０７が目的地への到着時刻を午後８時と推定した場合を想定する。
【００３６】
制御情報自動送信部１０８は、記憶部１０４から電気機器制御情報の送信時間を呼び出す。この電気機器制御情報の送信時間は、例えば、午後７時４５分であるとする。
【００３７】
制御情報自動送信部１０８は、現在の時刻を確認し、午後７時４５分に達したと判断された場合、自動的に電気機器制御情報が目的地に送信される。例えば、ユーザの移動方法が徒歩である場合は、Ａ、又はＤの位置で送信される。また、ユーザの移動方法が自転車の場合は、Ｂの位置で送信される。また、ユーザの移動方法が自動車の場合は、Ｃの位置で送信される。
【００３８】
ここで、記憶部１０４には、目的地及びその周辺の各種情報、例えば、地図情報、経路情報などが登録されていても良い。もしくは、ユーザが操作部１０３を操作し、目的地及びその周辺の地図、経路情報を無線部１０１を用いて地図データベースからダウンロードしても良い。
【００３９】
この場合、到着時刻推定部１０７は、記憶部１０４から目的地位置情報と共に、地図、経路情報を呼び出し、ユーザの位置情報から目的地までの経路を推定し、推定した目的地の経路から目的地までの到着時間を推定することができる。
【００４０】
また、ユーザは、目的地の位置情報を登録する際に、表示部１０２に地図情報を呼び出して表示し、地図を見ながら、操作部１０３を押下することによって、目的地の位置情報を登録することができる。この場合は、より容易な入力ができる。
【００４１】
また、ユーザは、最寄りの駅、最寄りのバス停留所から目的地の距離情報を登録する必要がなく、移動方法推定部１０６が、ユーザの移動方法がバスもしくは電車と判断されたときは、最寄りのバス停、最寄りの駅を地図より検出することもできる。
【００４２】
また、ユーザが特定の目的地までの経路を指定することもできる。この場合には、誤った経路を到着時刻推定部１０７が推定し、誤った目的地の到着時刻を推定することがないので、より正確な目的地到着時刻を推定することができる。
【００４３】
このように、実施の形態１に係る携帯端末装置１００によれば、ユーザの位置の変化から移動速度を算出し、算出した移動速度からユーザの移動方法を推定し、それに基づき目的地到着時刻を推定するようにしたので、移動経路、移動方法が変わっても、正確な目的地到着時刻を推定することができる。したがって、当該到着時刻までに目的地の電気機器を所望の状態にする遠隔制御を自動的に行うことができる。
【００４４】
即ち、本発明による携帯電話装置を保持しているユーザは、目的地、例えば、自宅についたときには、電気機器を所望の状態、例えば室内温度が適度な温度状態となり、お風呂の温度が適度な温度状態となるよう制御することができる。
【００４５】
（実施の形態２）
図４は、本発明の実施の形態２に係る携帯端末装置の構成を示すブロック図である。なお、図４では、図１に示した構成と同一ないしは同等である構成要素には、同一の符号が付されている。ここでは、この実施の形態２に関わる部分を中心に説明する。
【００４６】
図４に示すように、実施の形態２に係る携帯端末装置４００は、図１（実施の形態１）に示した構成において、位置検出部１０５に代えて、セルの切り替えを検出するセル切り替え検出部４０１が設けられ、それに伴い、移動方法推定部１０６に代えて、移動方法推定部４０２が設けられている。
【００４７】
移動方法推定部４０２は、セル切り替え検出部４０１が検出したセルの切り替え時刻の変化から、ユーザの移動速度を算出するようになっている。
【００４８】
次いで、図４、図５を参照して、以上のように構成された携帯端末装置４００の動作について説明する。なお、図５は、図４に示す携帯端末装置４００の動作を説明するフローチャートである。なお、図５では、図２に示した手順と同一となる手順には、同一の符号が付されている。
【００４９】
図５において、ステップＳＴ２０１（目的地位置情報登録）、ステップＳＴ２０２（制御情報登録）の処理を行い、携帯端末装置４００を携行した後の任意のタイミングで自動制御モードにすると（ステップＳＴ２０３）、携帯端末装置４００の通信セルが切り替わった場合に、セル切り替え検出部４０１がセルの切り替えを検出する（ステップＳＴ５０４）。検出されたセルの切り替え時刻は、制御部１０９を通して記憶部１０４に登録される。
【００５０】
また、制御部１０９は、そのときの位置情報をセルから取得し、記憶部１０４に登録する。さらに、移動中に携帯端末装置４００の通信セルが切り替わった場合に、セル切り替え検出部４０１がセルの切り替えを検出する（ステップＳＴ５０５）。検出されたセルの切り替え時刻は、制御部１０９を通して記憶部１０４に登録される。
【００５１】
また、制御部１０９は、そのときの位置情報をセルから取得し、記憶部１０４に登録する。移動方法推定部４０２は、セル切り替え検出部４０１が検出した異なる２つの時刻と異なる２つの位置情報とを記憶部１０４から呼び出し、ユーザの移動速度を算出する（ステップＳＴ５０６）。
【００５２】
例えば、始めの時刻をＴ５［ｓ］、位置をＸ５［ｍ］、次の時刻をＴ６［ｓ］、位置をＸ６［ｍ］とすると、移動速度は、（Ｔ６−Ｔ５）／（Ｘ６−Ｘ５）［ｍ／ｓ］と算出することができる。
【００５３】
その結果、ステップＳＴ２０７（移動方法推定）〜ステップＳＴ２１０（制御情報送信）の処理が実施の形態１と同様に行われ、目的地への到着時刻に合わせて制御情報の送信が行われる。
【００５４】
このように、実施の形態２に係る携帯端末装置によれば、携帯端末装置が通信を行っているセルの切り替えを検出するセル切り替え検出部を設け、検出したセルの切り替え時刻の変化からユーザの速度を算出し、ユーザの移動方法を推定するようにしたので、ＧＰＳを利用する位置検出部を実装した実施の形態１に係る携帯端末装置に比べて処理量が少なく、構成が容易になる。したがって、消費電力を削減することができ、また携帯端末装置を安価に構成することができる。
【００５５】
（実施の形態３）
図６は、本発明の実施の形態３に係る携帯端末装置の構成を示すブロック図である。なお、図６では、図１に示した構成と同一ないしは同等である構成要素には、同一の符号が付されている。ここでは、この実施の形態３に関わる部分を中心に説明する。
【００５６】
図６に示すように、実施の形態３に係る携帯端末装置６００は、図１（実施の形態１）に示した構成において、到着時刻推定部１０７に、推定した到着時刻が指定時間以上ずれていることを検出する到着時刻ずれ検出部６０１が追加されている。
【００５７】
次いで、図６、図７を参照して、以上のように構成された携帯端末装置６００の動作について説明する。なお、図７は、図６に示す携帯端末装置６００の動作を説明するフローチャートである。なお、図７では、図２に示した手順と同一となる手順には、同一の符号が付されている。
【００５８】
図７において、ユーザは、ステップＳＴ２０１（目的地位置情報登録）、ステップＳＴ２０２（制御情報登録）の処理を行った後に、電気機器に再度送信する場合の制御情報を登録する（ステップＳＴ７０３）。その後、ステップＳＴ２０３（自動制御モードＯＮ）〜ステップＳＴ２１０（制御情報送信）の処理が実施の形態１にて説明したように実施される。
【００５９】
そして、電気機器制御情報を目的地に送信した後に、位置検出部１０５は、任意の時間後に現在の位置情報を検出し、制御部１０９を通して記憶部１０４に登録する（ステップＳＴ７１２）。
【００６０】
移動方法推定部１０６は、記憶部１０４に登録してあるユーザの現在と過去の位置情報と時間情報とに基づき、実施の形態１にて説明した方法で、移動速度を算出し（ステップＳＴ７１３）、ユーザの移動方法を推定する（ステップＳＴ７１４）。
【００６１】
到着時刻推定部１０７は、実施の形態１にて説明した方法でユーザの目的地への到着時刻を推定し（ステップＳＴ７１５）、制御部１０９を通して記憶部１０４に登録する。
【００６２】
到着時刻ずれ検出部６０１は、記憶部１０４から以前に推定した目的地到着時刻と現在推定した目的地到着時刻とを比較し、指定した時間以上ずれているかを確認する（ステップＳＴ７１６）。到着時刻ずれ検出部６０１が、ずれていないと判断したときは（ステップＳＴ７１６：Ｎｏ）、ステップＳＴ７１２（移動中現在位置検出）に戻り、目的地に到着するまで、ステップＳＴ７１２（移動中現在位置検出）〜ステップＳＴ７１６（到着時刻のずれ検出）〜ステップＳＴ７１２（移動中現在位置検出）の処理を繰り返す。その過程で、ずれていると判断したときは（ステップＳＴ７１６：Ｙｅｓ）、ステップＳＴ７１７（再度制御情報送信）に進む。
【００６３】
一方、到着時刻ずれ検出部６０１が、ずれていると判断したときは（ステップＳＴ７１６：Ｙｅｓ）、制御情報自動送信部６０２は、記憶部１０４から再度電気機器に送信する制御情報を呼び出し、再度目的地に送信する（ステップＳＴ７１７）。目的地に到着するまで、ステップＳＴ７１２（移動中現在位置検出）〜ステップＳＴ７１７（再度制御情報送信）の処理を繰り返す。
【００６４】
なお、目的地到着時刻を比較する指定時間は、予め記憶部１０４に登録されている。また、ユーザが操作部１０３を操作しステップＳＴ２０１（目的地位置情報登録）とステップＳＴ２０２（制御情報登録）の登録処理と並行して記憶部１０４に登録することができる。
【００６５】
このように、実施の形態３に係る携帯端末装置によれば、ユーザが寄り道などをして経路がずれてしまい、目的地への到着時刻が変化した場合に、目的地の電気機器の制御が再度行えるようにしたので、無駄な電力を費やすことを防止し、消費電力を削減することができる。
【００６６】
電気機器として、例えばエアコンを考えると、目的地への時刻が遅れたと判断されれば、再度制御情報を送ることによって、エアコンをＯＦＦもしくは、「弱」にすることができるので、消費電力を抑えることができる。
【００６７】
（実施の形態４）
図８は、本発明の実施の形態４に係る携帯端末装置において実施される遠隔制御動作を説明するフローチャートである。本実施の形態４に係る携帯端末装置では、図１に示した構成において、電気機器の遠隔操作を自動的に行わせる自動制御モードに加え、ユーザの判断で電気機器の遠隔操作を行う手動制御モードが用意されている。
【００６８】
ここで、ユーザは、自動制御モードとするか、手動制御モードとするかを操作部１０３の所定ボタンを操作することによって登録することができる。また、ユーザは、自動制御モードと手動制御モードとが自動的に切り替わるように設定することができる。
【００６９】
例えば、平日はほぼ移動経路、移動方法が変化しないため、自動制御モードで行い、休日は手動制御モードに行うように、携帯端末装置が自動で切り替えを行うようユーザが設定することが可能である。
【００７０】
図８において、ステップＳＴ２０１（目的地位置情報登録）、ステップＳＴ２０２（制御情報登録）の処理を行い、当該携帯端末装置を携行した後の任意のタイミングで自動制御モードか手動制御モードがＯＮになると（ステップＳＴ８０３）、ステップＳＴ２０４（現在位置検出）〜ステップＳＴ２０９（制御情報自動送信時刻の判断）の処理が実施の形態１で説明したように実施される。
【００７１】
その過程で制御情報自動送信の時刻に達していると判断されると（ステップＳＴ２０９：ｙｅｓ）、制御情報自動送信部１０８は、現在のモードが自動制御モードか、手動制御モードかを判断し（ステップＳＴ８１０）、自動制御モードの場合は（ステップＳＴ８１０：Ｙｅｓ）、制御情報自動送信部１０８は、登録された制御情報を自動的に目的地に送信する（ステップＳＴ８１３）。
【００７２】
一方、手動制御モードの場合は（ステップＳＴ８１０：Ｎｏ）、制御情報自動送信部１０８はユーザが認識できるように通知を行う（ステップＳＴ８１１）。この通知方法は、バイブレータや、音、光のいずれでもよい。
【００７３】
ユーザは、通知を受けて手動で目的地への制御を行か否かの判断を行い、手動で制御を行うと判断したときは、操作部１０３の所定ボタンを操作する。制御情報自動送信部１０８は、ユーザの指示に従って目的地に制御情報を送信する（ステップＳＴ８１２）。ユーザは、目的地への制御を行わないと判断したときは、何もしないので、目的地への制御情報は送信されない。
【００７４】
このように、実施の形態４に係る携帯端末装置によれば、ユーザが普段と移動方法、移動経路が異なると予測できるときは、予め手動で操作を行うモードである手動制御モードに切り替えることができるので、ユーザは普段と移動方法、移動経路が異なるときでも所望の電気機器の制御を行うことが可能となる。
【００７５】
例えば、友人宅への訪問を行った後は、直ぐ帰宅する予定で設定したのを、友人宅への訪問後にスーパーに買い物に出かけるなど普段の経路と異なる場合、手動制御モードに切り替えると、友人宅からスーパーに出かけているときに電気機器に制御情報が送信される。したがって、無駄に電気機器がＯＮとなることを避けることができる。
【００７６】
また、制御情報の目的地への送信を実行する前にユーザに通知を行うので、手動制御モードの場合でも、ユーザが手動で制御することを忘れることはない。
【００７７】
（実施の形態５）
図９は、本発明の実施の形態５に係る携帯端末装置において実施される遠隔制御動作を説明するフローチャートである。本実施の形態５に係る携帯端末装置では、図１に示した構成において、目的地の複数の電気機器に対して別々の時刻で、各電気機器に制御情報を送信する機能が用意されている。
【００７８】
図９において、ユーザは、表示部１０２の表示を見ながら、操作部１０３の所定ボタンを操作し、目的地の位置情報（経度や緯度）を入力し（ステップＳＴ２０１）、またＮ個の電気機器それぞれに対する制御情報及び送信時間を入力する（ステップＳＴ９０２）。これらは、制御部１０９を通して記憶部１０４に登録される。
【００７９】
その後、当該携帯端末装置を携行した後の任意のタイミングで自動制御モードがＯＮになると（ステップＳＴ２０３）、ステップＳＴ２０４（現在位置検出）〜ステップＳＴ２０８（到着時刻推定）の処理が実施の形態１で説明したように実施される。
【００８０】
到着時刻推定部１０７がユーザの目的地への到着時刻を推定した後（ステップＳＴ２０８）、制御情報自動送信部１０８は、電気機器１の制御情報を送信終了したかどうかを判断する（Ｓ９０９）。終了していないと判断したときは（Ｓ９０９：Ｎｏ）、電気機器１の制御情報自動送信の時刻に達したかどうかを判断し（ステップＳＴ９１０）、制御情報自動送信時刻に達したと判断したときは（ステップＳＴ９１０：Ｙｅｓ）、電気機器１の制御情報を目的地に自動的に送信する（ステップＳＴ９１１）。
【００８１】
制御情報自動送信部１０８は、電気機器１の制御情報を送信終了したと判断したとき（ステップＳＴ９０９：Ｙｅｓ）、又は、電気機器１への制御情報送信は終了していないが（ステップＳＴ９０９：Ｎｏ）、電気機器１への制御情報自動送信時刻に到達していないとき（ステップＳＴ９１０：Ｎｏ）、又は、電気機器１の制御情報を送信した（ステップＳＴ９１２）後、電気機器２への制御情報送信が終了したかどうかを判断する（ステップＳＴ９１２）。
【００８２】
制御情報自動送信部１０８は、この処理を目的地の電気機器の数がＮ個の場合、Ｎ回繰り返す。電気機器Ｎへの制御情報送信が終了したかどうかを判断し（ステップＳＴ９１５）、終了したと判断した（ステップＳＴ９１５：Ｙｅｓ）後、又は、電気機器Ｎへの制御情報送信は終了していないが（ステップＳＴ９１５：Ｎｏ）、電気機器Ｎへの制御情報自動時刻に達していない判断した（ステップＳＴ９１６：Ｎｏ）後、又は、電気機器Ｎへの制御情報を送信した（ステップＳＴ９１７）後に、全ての電気機器への制御情報送信が終了したか否かを判断する（ステップＳＴ９１８）。
【００８３】
制御情報自動送信部１０８は、全ての電気機器への制御情報送信が終了したと判断したときは（ステップＳＴ９１８：Ｙｅｓ）、送信処理を終了となる。一方、制御情報自動送信部１０８は、全ての電気機器への制御情報送信が終了していないと判断したときは（ステップＳＴ９１８：Ｎｏ）、ステップＳＴ２０５（移動中現在位置検出）に戻り、全ての電気機器への制御情報送信が終了したと判断できるまで（ステップＳＴ９１８：Ｙｅｓ）、到着時刻推定処理（ステップＳＴ２０５〜ステップＳＴ２０８）と送信処理（ステップＳＴ９０９〜ステップＳＴ９１７）と繰り返す。
【００８４】
このように、実施の形態５に係る携帯端末装置では、目的地に複数の電気機器がある場合にも、それぞれに対応した制御情報及び自動送信時間が設定できるので、それぞれの電気機器を自動的に遠隔操作してユーザが希望する状態に制御することができる。
【００８５】
【発明の効果】
以上説明したように、ユーザの移動方法から正確な目的地到着時刻を推定し、ユーザの到着時刻に合わせて目的地の電気機器の遠隔操作を自動的に行えるので、移動経路、移動方法が変化しても、ユーザが目的地に到着したときには、目的地の電気機器が所望の状態になっているようにするができる。
【図面の簡単な説明】
【図１】本発明の実施の形態１に係る携帯端末装置の構成を示すブロック図
【図２】図１に示す携帯端末装置の動作を説明するフローチャート
【図３】図１に示す制御情報自動送信部が行う制御情報の送信タイミングを説明する図
【図４】本発明の実施の形態２に係る携帯端末装置の構成を示すブロック図
【図５】図４に示す携帯端末装置の動作を説明するフローチャート
【図６】本発明の実施の形態３に係る携帯端末装置の構成を示すブロック図
【図７】図６に示す携帯端末装置の動作を説明するフローチャート
【図８】本発明の実施の形態４に係る携帯端末装置の動作を説明するフローチャート
【図９】本発明の実施の形態５に係る携帯端末装置の動作を説明するフローチャート
【符号の説明】
１００，４００，６００  携帯端末装置
１０１  無線部
１０２  表示部
１０３  操作部
１０４  記憶部
１０５  位置検出部
１０６，４０２  移動方法推定部
１０７  到着時刻推定部
１０８  制御情報自動送信部
１０９  制御部
４０１  セル切り替え検出部
６０１  到着時刻ずれ検出部
【図１】
2004228668.tif 000003
【図２】
2004228668.tif 000004
【図３】
2004228668.tif 000005
【図４】
2004228668.tif 000006
【図５】
2004228668.tif 000007
【図６】
2004228668.tif 000008
【図７】
2004228668.tif 000009
【図８】
2004228668.tif 000010
【図９】
2004228668.tif 000011